(57)【要約】      （修正有）【課題】回転スイッチと外カバーの組立構造が十分に強化され、指令の効果を確実にする回転スイッチと外カバー連接の基本構造を提供する。【解決手段】回転スイッチと外カバー連接の基本構造は、回転スイッチを含み、それは基台及びその基台と接続して基台に相対して軌跡運動を行う回転盤を具える。基台と回転盤の間には信号ユニットを納置する空間が形成される。この信号ユニットは、回転版の回転軌跡運動に基づき、指令信号を出力する。回転スイッチ上には、外カバーを結合し、その外カバーと回転盤は対応して掛合する掛合部と掛合槽が成形される。またこの外カバーが回転の力を受けた時、掛合部と掛合槽が回転スイッチを連動して回転軌跡運動を行う。【選択図】図２
0003123109.tif 000002
【実用新案登録請求の範囲】
【請求項１】
回転スイッチ及び外カバーから構成された回転スイッチと外カバー連接の基本構造において、
回転スイッチは、基台、及び基台と接続設置して基台に相対して回転軌跡運動を行う回転盤を含み、基台と回転盤の間には信号ユニットを納置する納置空間が形成され、その信号ユニットは、回転盤の回転軌跡運動に基づき、対応する指令信号を出力し、
外カバーは、回転スイッチと結合し、その外カバーと回転盤には掛合関係を形成する掛合部と掛合槽が成形され、外カバーが力を受けて回転すると、掛合部及び掛合槽似よって回転スイッチが連動して回転軌跡運動を行うことを特徴とする回転スイッチと外カバー連接の基本構造。
【請求項２】
前記掛合槽は、回転盤の周辺縁に設置され、回転盤の周辺縁から内向きに凹んだ空間に掛合槽が形成されることを特徴とする請求項１記載の回転スイッチと外カバー連接の基本構造。
【請求項３】
前記外カバーは、外径が回転盤の外径より大きく、且つ外カバーには通孔が成形され、掛合部を掛合槽の位置に対応させ、通孔の孔縁側設置することを特徴とする請求項２記載の回転スイッチと外カバー連接の基本構造。
【請求項４】
前記回転スイッチは、更に押圧ユニットを具え、力を受けると押圧指令信号を発し、且つこの押圧ユニットは通孔の位置に相対して配置することを特徴とする請求項３記載の回転スイッチと外カバー連接の基本構造。
【請求項５】
前記掛合部と掛合槽は、外カバーと回転盤に於いて等角度で設置することを特徴とする請求項１もしくは２もしくは３記載の回転スイッチと外カバー連接の基本構造。
【請求項６】
前記掛合槽は、横向距離が掛合部より大きく、連接位置に隙間を形成することを特徴とする請求項５記載の回転スイッチと外カバー連接の基本構造。
【考案の詳細な説明】
【技術分野】
【０００１】
本考案は、回転スイッチに関するもので、特に回転スイッチと外カバーを有効に連接する基本構造である。
【背景技術】
【０００２】
特許文献１「回転スイッチの構造改良」は、外枠内に回転する回転軸を設置し、その回転軸上端に回転する外カバーを嵌める。更にこの回転軸底端の適する箇所に導電部品を設置し、外枠の底側でネジ止めする盤台を設置する。別にこの盤台の適する箇所には複数個の接続脚及び共同接続脚が固定され、各々導電部品両端の凸部に接触する。例を挙げると、この回転スイッチを扇風機の回転速度制御に使用する場合、扇風機の各回転速度の接続線（低速、中速、高速）と、盤台の接続脚が連接され、電源端は、共同接続脚とはんだ付けされる。使用者が力でこの回転軸上端の外カバーを回すと、回転軸を連動して導電部品両端の凸部を盤台の接続脚及び共同接続脚に合わせた時、扇風機が稼動し、回転軸が回転し、導電部品を別の接続脚及び共同接続脚に接触させて扇風機の回転速度を選択する。
【０００３】
解決しようとする問題点は、下述の点である、
（１） 製作時、外カバーは、回転軸の上端に差し込み、定位関係を形成するため、固定構造が安定しない。使用者が操作する時、外カバーと回転軸の間の隙間が大きすぎ、外カバー全体が傾斜してしまい、スムーズに回転しなかったり、間違った指令を出力してしまったりする、
（２） この外カバーと回転軸を組み立てる時、外カバーと回転軸の間がきつすぎて、外カバーが変形、破裂しやすい。更に外カバーを圧迫して回転軸上端を入れるので、その時に内部の導電部品を壊したり、折ったりしてしまう、
（３） 上述の回転スイッチは、長期間使用すると、外カバーと回転軸が、長期間の磨耗によって、隙間が大きくなる。そのため回転スイッチはスムーズに回転しなくなり、外カバーが力を受けた時、空転して回転軸を連動せず、回転スイッチが間違った指令を出力してしまう。
【０００４】
【特許文献１】台湾特許公告第２５２６１６号明細書
【考案の開示】
【考案が解決しようとする課題】
【０００５】
上述の問題を改善するため、本考案の主な目的は、上述の欠点を改善し、ミスを防止することとする。掛合方式によって回転スイッチ及び外カバーが結合されることにより、公知の構造上の問題を解決し、外カバーを回転スイッチに安定して固定し、隙間や磨耗等による問題を防止する。
【０００６】
上述の目的を達成するため、本考案は、回転スイッチを含み、それは基台及びその基台と接続して基台に相対して軌跡運動を行う回転盤を具える。基台と回転盤の間には信号ユニットを納置する空間が形成される。この信号ユニットは、回転版の回転軌跡運動に基づき、指令信号を出力する。回転スイッチ上には、外カバーを結合し、その外カバーと回転盤は対応して掛合する掛合部と掛合槽が成形される。またこの外カバーが回転の力を受けた時、掛合部と掛合槽が回転スイッチを連動して回転軌跡運動を行う。上述の方法によって、回転盤が外カバーの力を受けた時、同時に回転軌跡運動を形成して信号を発し、且つ回転盤と外カバーは掛合方式によって連接し、外れたり、傾いたりしにくいため、回転スイッチと外カバーの組立構造が十分に強化され、指令の効果を確実にする。
【課題を解決するための手段】
【０００７】
請求項１の考案は、回転スイッチ及び外カバーから構成された回転スイッチと外カバー連接の基本構造において、
回転スイッチは、基台、及び基台と接続設置して基台に相対して回転軌跡運動を行う回転盤を含み、基台と回転盤の間には信号ユニットを納置する納置空間が形成され、その信号ユニットは、回転盤の回転軌跡運動に基づき、対応する指令信号を出力し、
外カバーは、回転スイッチと結合し、その外カバーと回転盤には掛合関係を形成する掛合部と掛合槽が成形され、外カバーが力を受けて回転すると、掛合部及び掛合槽似よって回転スイッチが連動して回転軌跡運動を行うことを特徴とする回転スイッチと外カバー連接の基本構造としている。
請求項２の考案は、前記掛合槽は、回転盤の周辺縁に設置され、回転盤の周辺縁から内向きに凹んだ空間に掛合槽が形成されることを特徴とする請求項１記載の回転スイッチと外カバー連接の基本構造としている。
請求項３の考案は、前記外カバーは、外径が回転盤の外径より大きく、且つ外カバーには通孔が成形され、掛合部を掛合槽の位置に対応させ、通孔の孔縁側設置することを特徴とする請求項２記載の回転スイッチと外カバー連接の基本構造としている。
請求項４の考案は、前記回転スイッチは、更に押圧ユニットを具え、力を受けると押圧指令信号を発し、且つこの押圧ユニットは通孔の位置に相対して配置することを特徴とする請求項３記載の回転スイッチと外カバー連接の基本構造としている。
請求項５の考案は、前記掛合部と掛合槽は、外カバーと回転盤に於いて等角度で設置することを特徴とする請求項１もしくは２もしくは３記載の回転スイッチと外カバー連接の基本構造としている。
請求項６の考案は、前記掛合槽は、横向距離が掛合部より大きく、連接位置に隙間を形成することを特徴とする請求項５記載の回転スイッチと外カバー連接の基本構造としている。
【考案の効果】
【０００８】
本考案の回転スイッチと外カバー連接の基本構造は、回転盤が外カバーの力を受けた時、同時に回転軌跡運動を形成して信号を発し、且つ回転盤と外カバーは掛合方式によって連接し、外れたり、傾いたりしにくいため、回転スイッチと外カバーの組立構造が十分に強化され、指令の効果を確実にするという利点がある。
【考案を実施するための最良の形態】
【０００９】
図１、図２、図３に示すとおり、本考案は、回転スイッチ１を含み、その回転スイッチ１は基台２０、及びその基台２０に設置して基台２０に相対して回転軌跡運動を行う回転盤１０を具える。それらの結合方式は、回転盤１０側面縁に嵌合部１２を成形し、その嵌合部１２は動くので、回転盤１０を基台２０上方に組む。その基台２０の側面縁には環状に環状凹槽２１が成形され、回転盤１０の嵌合部１２が環状凹槽２１に嵌合され、その嵌合部１２は、環状凹槽２１を軌道として回転盤１０を基台２０に相対して回転させる。更にこの基台２０と回転盤１０の間には信号ユニット２を納置する空間が形成される。この信号ユニット２は、基台２０に配置される接続脚器６０及び導電部品４０が組み合わさって形成され、信号ユニット２は回転盤１０が軌跡運動を行うと、対応する指令信号を出力する。この回転スイッチ１は、外カバー３０と結合し、その外カバー３０と回転盤１０には掛合関係を形成する掛合部３１と掛合槽１３が対応して設置される。この掛合槽１３は、回転盤１０周辺縁に設置され、回転盤１０周辺縁から内向きに凹んだ空間が掛合槽１３となる。掛合部３１及び掛合槽１３は、外カバー３０及び回転盤１０上に等角度で設置される。そのうち、この外カバー３０の外径は、回転盤１０外径より大きく、且つ外カバー３０には通孔３２が成形される。掛合部３１を掛合槽１３位置に対応させ、通孔３２の孔縁側に設置すると、外カバー３０が力を受けて回転する時、掛合部３１及び掛合槽１３が回転スイッチ１の軌跡運動に連動する。また掛合槽１３の横方向距離は、掛合部３１より大きいため、連接位置に隙間が形成され、使用者操作時のクッション空間となる。この回転盤１０上方には更に設置孔１１が設置され、そこに押圧指令信号を受ける押圧ユニット５０が設置され、力を受けて押圧指令信号を発する。更にこの押圧ユニット５０は、この通孔３２に対応する位置に配置される。基台２０は底面に複数個の固定部２２が設置される。本考案実施例を関連設備上に設置する場合、本実施例の信号ユニット２は、導電部品４０と接続脚器６０によって、回路が連接される。そのうち、導電部品４０は複数個の組立孔４２によって、回転盤１０底面と相互に組み合わさり、使用者がこの回転盤１０を回転させると、導電部品４０が同時に作動する。本実施例の導電部品４０は、外縁に接触腕４１が伸び、その接触腕４１は、接続脚器６０と接触し、接触腕４１が押され、下向きの弾性回復力を具える。信号ユニット２は、その構造、もしくはその設置方式は多種多様あり、リング式に限らない。
【００１０】
本考案は、回転盤１０の上端に外カバー３０を設置し、且つ外カバー３０には回転盤１０に対応する箇所に通孔３２が成形される。この通孔３２周辺縁には多数個の掛合部３１が設置され、その掛合部３１を掛合方式によって、回転盤１０の掛合槽１３に掛合する。これによって回転盤１０を安定して動かし回転させる。使用時、使用者が外カバー３０を回転させると、回転盤１０が連動して回転し、回転盤１０が外カバーの力で同時に動いて信号ユニット２が信号を発する他に、回転盤１０と外カバー３０は掛合方式で連接し、緩んだり傾いたりせず、外カバー３０が空転して誤った指令を発することを有効に防止する。
【図面の簡単な説明】
【００１１】
【図１】本考案の外観立体表示図である。
【図２】本考案の構造分解表示図である。
【図３】本考案の断面表示図である。
【符号の説明】
【００１２】
１  回転スイッチ
１０  回転盤
１１  設置孔
１２  嵌合部
１３  掛合槽
２  信号ユニット
２０  基台
２１  環状凹槽
２２  固定部
３０  外カバー
３１  掛合部
３２  通孔
４０  導電部品
４１  接触腕
４２  組立孔
５０  押圧ユニット
６０  接続脚器
【図１】
0003123109.tif 000003
【図２】
0003123109.tif 000004
【図３】
0003123109.tif 000005